(57)【特許請求の範囲】
【請求項１】
釘打ち機のノーズブロックとその先端に設けたコンタクトノーズによって構成されるノーズ部のコンタクトノーズに複数の釘ガイドフラップを枢着し、バネにより釘ガイドフラップの先端をノーズ部の穴の中心方向へ付勢して、複数の釘ガイドフラップの先端を相互に当接させて閉じ、釘の射出時に釘が複数の釘ガイドフラップを押し開いて通過するように構成した釘打ち機の釘ガイド装置において、
上記ノーズブロックの先端に二重筒形のコンタクトノーズが嵌装されるとともに、該コンタクトノーズに結合したコンタクトアームはノーズブロックの裏面を通ってトリガレバーに延びてなり、該コンタクトノーズの二重筒形をなす外筒部に中心穴へ貫通する複数の縦溝を形成し、該縦溝内に釘ガイドフラップをピン枢着することにより、ノーズ部の先端を複数の釘ガイドフラップの先端よりも突出させて、複数の釘ガイドフラップが打込み対象面に接触しないように形成し、且つ、複数の釘ガイドフラップの上面外側近傍と前記縦溝の上縁との間に圧縮コイルバネを介装して複数の釘ガイドフラップの先端が閉じ方向に付勢されて相互に圧接するように構成したことを特徴とする釘打ち機の釘ガイド装置。
【発明の詳細な説明】
【０００１】
【発明の属する技術分野】
この発明は、釘打ち機の釘ガイド装置に関するものであり、特に、釘を射出する際の釘の傾きを防止するための釘ガイド装置に関するものである。
【０００２】
【従来の技術】
圧縮空気や電気を動力源とする釘打ち機は、ドライバ駆動機構を内蔵したケーシングの先端にノーズ部を備え、ノーズ部の縦穴内をドライバが高速で下降して縦穴内の釘を射出する構造となっている。
【０００３】
ノーズ部の縦穴の内径は、ドライバ並びに釘が円滑に動けるように、釘の頭の直径よりもやや大きく形成されている。したがって、釘の頭よりも小径の軸部と縦穴の壁面とには間隙があるので、釘の先端は半径方向へ動くことができ、必ずしも釘の中心線とノーズ部の中心線と一致した垂直姿勢で打込まれるとは限らず、斜めに打ち込まれたり、ノーズ部内で折れ曲がって詰まることがある。
【０００４】
この問題を解決するための手段として、ノーズ部の先端部に枢着した一対のフラップ式ガイドプレートによる釘ガイド装置が知られている。この一対のフラップ式ガイドプレート（以下、釘ガイドフラップという）は、ノーズ部の先端部に枢着されて釘の打込み方向へ突出しており、バネによって先端部が閉じられている。ドライバがノーズ部内の釘を打撃すると、釘が一対の釘ガイドフラップを押し開き、釘は釘ガイドフラップに挟まれて垂直姿勢を維持したまま打ち込まれる。
【０００５】
【発明が解決しようとする課題】
釘を垂直姿勢に保持する釘ガイドフラップをノーズ部の先端に設けた釘打ち機は、釘ガイドフラップの先端面を打込み対象物に密着させて釘を打込むが、このとき、釘打ち機の保持が十分ではなく、釘打ち機が打込み対象物上を動いた場合は、バネによって閉じられている釘ガイドフラップが開いて、釘の姿勢が傾くことがある。また、ドライバが釘を打撃した瞬間にドライバが釘の頭上を滑って釘ガイドフラップが釘の頭径以上に開かれ、保持を解除された釘の頭からドライバが外れて打ち損じることもある。
【０００６】
そこで、釘の姿勢の乱れや打ち損じを防止するために解決すべき技術的課題が生じてくるのであり、本発明は上記課題を解決することを目的とする。
【０００７】
【課題を解決するための手段】
この発明は、上記目的を達成するために提案するものであり、釘打ち機のノーズブロックとその先端に設けたコンタクトノーズによって構成されるノーズ部のコンタクトノーズに複数の釘ガイドフラップを枢着し、バネにより釘ガイドフラップの先端をノーズ部の穴の中心方向へ付勢して、複数の釘ガイドフラップの先端を相互に当接させて閉じ、釘の射出時に釘が複数の釘ガイドフラップを押し開いて通過するように構成した釘打ち機の釘ガイド装置において、
上記ノーズブロックの先端に二重筒形のコンタクトノーズが嵌装されるとともに、該コンタクトノーズに結合したコンタクトアームはノーズブロックの裏面を通ってトリガレバーに延びてなり、該コンタクトノーズの二重筒形をなす外筒部に中心穴へ貫通する複数の縦溝を形成し、該縦溝内に釘ガイドフラップをピン枢着することにより、ノーズ部の先端を複数の釘ガイドフラップの先端よりも突出させて、複数の釘ガイドフラップが打込み対象面に接触しないように形成し、且つ、複数の釘ガイドフラップの上面外側近傍と前記縦溝の上縁との間に圧縮コイルバネを介装して複数の釘ガイドフラップの先端が閉じ方向に付勢されて相互に圧接するように構成したことを特徴とする釘打ち機の釘ガイド装置を提供するものである。
【０００８】
【発明の実施の形態】
以下、この発明の実施の一形態を図に従って詳述する。図１は空気圧釘打ち機１を示し、シリンダハウジング２の側面から直角に延びるグリップ３が設けられており、シリンダハウジング２の先端（図１において下）にノーズブロック４が結合されている。
【０００９】
ノーズブロック４には釘とドライバ５の通路である縦穴４ａが形成されており、縦穴４ａの背面側（図１において右）には釘送り爪６、釘送りピストン（図示せず）等の釘送り機構が配置されていて、ノーズブロック４の後端に釘マガジン７が連結されている。
【００１０】
シリンダハウジング２には空気圧シリンダ８が内蔵され、空気圧シリンダ８内のピストン９に結合したドライバ５がノーズブロック４の縦穴４ａ内を昇降する。ノーズブロック４の先端には二重筒形のコンタクトノーズ１０が嵌装されていて、コンタクトノーズ１０に結合したコンタクトアーム１１が、図１においてノーズブロック４の裏面を通ってトリガレバー１２の方向へ延びており、コンタクトアーム１１の上端はトリガレバー１２に枢着されているフリーアーム１３の先端部に対向している。
【００１１】
コンタクトアーム１１及びコンタクトノーズ１０はバネ（図示せず）によってノーズブロック４から突出する方向へ付勢されており、コンタクトノーズ１０の先端を打込み対象物に押しつけてノーズブロック４側へ押し込むと、フリーアーム１３の先端部がトリガバルブステム１４側へ押し上げられ、この状態でトリガレバー１２を引くと、フリーアーム１３が全体的にトリガバルブステム１４側へ動いてトリガバルブステム１４が押され、空気圧シリンダ８が起動する。つまり、コンタクトノーズ１０の先端を打込み対象物に押しつける操作と、トリガレバー１２の引き操作の二つの操作によって空気圧シリンダ８が起動し、何れか一方のみの操作では空気圧シリンダが起動しない公知の安全機構を構成している。
【００１２】
図２はノーズブロック４とコンタクトノーズ１０とによって構成されたノーズ部を示し、ノーズブロック４の先端部は穴径が拡大されていて、この拡径部４ｂが二重筒構造のコンタクトノーズ１０の内筒部１０ａと外筒部１０ｂとの間に挿入されている。内筒部１０ａの中心穴径は、ノーズブロック４の縦穴４ａの内径と同様に釘の頭径よりもやや大きく、釘は内筒部１０ａの中心穴を通って射出される。
【００１３】
コンタクトノーズ１０には前後（図において左右）から中心穴へ貫通する縦溝１０ｃが形成されていて、前後の縦溝１０ｃ内にはそれぞれ釘ガイドフラップ１５が挿入されてピン１６にて係止されており、釘ガイドフラップ１５の上面の外側端部近傍と縦溝１０ｃの上縁との間に介装した圧縮コイルバネ１７によって前後一対の釘ガイドフラップ１５は、先端が閉じる方向へ付勢されて相互に圧接している。
【００１４】
釘ガイドフラップ１５は、コンタクトノーズ１９の先端ではなく先端近傍の前後の側面に取付けてあり、コンタクトノーズ１０を釘の打込み対象物に押しつけたときに釘ガイドフラップ１５が打込み対象物に直接接触しないように構成されている。
【００１５】
空気圧シリンダ８が起動して、ノーズブロック４内の釘を打撃したときは、図３に示すように、釘Ｎが前後一対の釘ガイドフラップ１５を押し開き、釘Ｎの軸部が前後一対の釘ガイドフラップ１５に挟まれて、垂直姿勢を維持したままノーズブロック４及びコンタクトノーズ１０の穴を通過していき、図４に示すように、釘Ｎの頭及びドライバ５が釘ガイドフラップ１５の間を通過して釘Ｎが完全に打ち込まれる。そして、その後にドライバ５が待機位置へ上昇すると、圧縮コイルバネ１７によって釘ガイドフラップ１５が閉じて図２に示す初期状態に戻る。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明の釘打ち機の釘ガイド装置は、釘を垂直姿勢に保持する釘ガイドフラップが直接釘打ち込対象面に接触しないように構成したので、釘ガイドフラップの先端面が釘打ち込対象面に接触する従来の釘ガイド装置とは異なり、打ち込みの際に釘打ち機のブレ等によって釘ガイドフラップが不用意にひらくことがなく、釘の姿勢が傾いたり、ドライバが釘の頭上を滑って打ち損じることを防止できる。
また、上記コンタクトアーム及びコンタクトノーズは上記ノーズブロックから突出する方向に付勢されており、上記コンタクトノーズの先端を打込み対象物に押しつけてノーズブロック側に押し込むと、フリーアームの先端がトリガバルブステム側へ押し上げられ、この状態で、上記トリガレバーを引くとフリーアームが全体的にトリガバルブステム側に動いて、空気圧シリンダが起動する。即ち、上記コンタクトノーズの先端を打込み対象物に押しつける操作と、トリガレバーの引き操作の二つの操作によって空気圧シリンダが起動し、何れか一方のみの操作では空気圧シリンダが起動しない安全機構を構成しており、釘の噴出に向けた空気圧の均衡状態を安定して維持することができる。
【図面の簡単な説明】
【図１】本発明の実施形態を示し、釘打ち機の側面断面図。
【図２】釘打ち機のノーズ部の側面断面図。
【図３】釘の打込み時の状態を示すノーズ部の側面断面図。
【図４】図３に続く釘の打込み時の状態を示すノーズ部の側面断面図。
【符号の説明】
１        釘打ち機
４        ノーズブロック
５        ドライバ
１０        コンタクトノーズ
１０ａ      内筒部
１０ｂ      外筒部
１０ｃ      縦溝
１５        釘ガイドフラップ
１６        ピン
１７        圧縮コイルバネ
【図１】
0004221829.tif 000002
【図２】
0004221829.tif 000003
【図３】
0004221829.tif 000004
【図４】
0004221829.tif 000005